(57)【要約】【課題】歌詞暗／復号化装置を提供する。【解決手段】遠隔制御機構と、上記の遠隔制御機構に接続されるスプリットバックスと、上記のスプリットバックスに接続される通信インタフェースと、上記の通信インタフェースに接続される制御機構と、上記の制御機構に接続されるビデオ−オーディオ提供機構と、上記の制御機構に接続され、少なくとも、演算ユニットと演算ユニットに接続される権限ユニット及び演算ユニットに接続される歌詞データベースが備えられる歌詞暗／復号化機構と、    が含有され、ビデオ−オーディオ提供機構と歌詞暗／復号化機構を利用して、歌曲に関連する歌詞に対して、復号化し、遠隔制御機構が、必要とする歌詞を取得して、その後、利用できる。【選択図】図１
0003145709.tif 000002
【実用新案登録請求の範囲】
【請求項１】
遠隔制御機構と、
上記の遠隔制御機構に接続されるスプリットバックスと、
上記のスプリットバックスに接続される通信インタフェースと、
上記の通信インタフェースに接続される制御機構と、
上記の制御機構に接続されるビデオ−オーディオ提供機構と、
上記の制御機構に接続され、少なくとも、演算ユニットと演算ユニットに接続される権限ユニット及び演算ユニットに接続される歌詞データベースが備えられる歌詞暗／復号化機構と、が含有されることを特徴とする歌詞暗／復号化装置。
【請求項２】
該遠隔制御機構は、少なくとも、表示ユニットと制御ユニットが備えられることを特徴とする請求項１に記載の歌詞暗／復号化装置。
【請求項３】
該遠隔制御機構は、導線により、スプリットバックスに接続されることを特徴とする請求項１に記載の歌詞暗／復号化装置。
【考案の詳細な説明】
【技術分野】
【０００１】
本考案は、歌詞暗／復号化装置に関し、特に、ビデオ−オーディオ提供機構と歌詞暗／復号化機構により、歌曲に関連する歌詞に対して、復号化し、遠隔制御機構が、必要とする歌詞を取得して利用できるものに関する。
【背景技術】
【０００２】
一般の、従来のマルチメディアビデオ−オーディオをダウンロードする時、一般として、コンピュータ等の接続制御装置を、インターネットを介して、関連するマルチメディアデータ提供ウェブサイトに接続し、これにより、ユーザーが、該マルチメディアデータ提供ウェブサイトから、必要とするマルチメディアデータを、コンピュータ接続制御装置にダウンロードして格納でき、また、コンピュータ接続制御装置と関連ソフト／ハードインタフェース制御により、該マルチメディアデータを出力できるだけでなく、必要とする再生（或いは格納）機構とコンピュータ接続制御装置に接続し、再生（或いは格納）機構で、コンピュータ接続制御装置に格納されているマルチメディアデータを捕獲し、そのため、ユーザーが、再生（或いは格納）機構で、格納されている必要とするビデオ−オーディオマルチメディアデータを再生できる。
【０００３】
上記のように、ユーザーが、再生（或いは格納）機構で、再生に必要とするビデオ−オーディオマルチメディアデータを格納できるが、それらのビデオ−オーディオマルチメディアデータがダウンロードされた後、それらのマルチメディアデータが、何れかのフォーマットで存在しても、そのデータに、設定済みの音声や画像データが含まれ、そのため、ユーザーが、取得したビデオ−オーディオマルチメディアデータに対して、単純に、再生や格納、焼きつけ或いは転送を行うことができ、それらのビデオ−オーディオマルチメディアデータに、関連する歌詞データが存在すれば、再生する時、画像と音声に合わせて、関連する歌詞を字幕で表示し、反対に、それらのビデオ−オーディオマルチメディアデータに、関連する歌詞データが存在しない場合、再生する時、関連する歌詞字幕を表示しなく、また、ユーザーが、画像や音声データのソースに、勝手に、関連する歌詞字幕を編集や挿入することができなく、該ビデオ−オーディオマルチメディアデータをより実用的にすることができない。
【考案の開示】
【考案が解決しようとする課題】
【０００４】
本考案の主な目的は、ビデオ−オーディオ提供機構と歌詞暗／復号化機構を利用して、歌曲に関連する歌詞に対して復号化して、遠隔制御機構が、必要とする歌詞を取得して利用できる歌詞暗／復号化装置を提供する。
【課題を解決するための手段】
【０００５】
本考案は、上記の目的を達成するため、遠隔制御機構と、上記の遠隔制御機構に接続されるスプリットバックスと、上記のスプリットバックスに接続される通信インタフェースと、上記の通信インタフェースに接続される制御機構と、上記の制御機構に接続されるビデオ−オーディオ提供機構と、上記の制御機構に接続され、少なくとも、演算ユニットと演算ユニットに接続される権限ユニット及び演算ユニットに接続される歌詞データベースが備えられる歌詞暗／復号化機構と、が含有される、歌詞暗／復号化装置である。
【考案を実施するための最良の形態】
【０００６】
図１と図２及び図３は、それぞれ、本考案の基本構造概念図と本考案のブロック概念図及び本考案の使用流れ概念図である。図のように、本考案は、歌詞暗／復号化装置であり、少なくとも、遠隔制御機構１とスプリットバックス２、通信インタフェース３、制御機構４、ビデオ−オーディオ提供機構５及び歌詞暗／復号化機構６から構成され、ビデオ−オーディオ提供機構５と歌詞暗／復号化機構６を利用して、歌曲に関連する歌詞に対して、復号化し、遠隔制御機構１が、必要とする歌詞を取得して利用できる。
【０００７】
上記の遠隔制御機構１は、少なくとも、表示ユニット１１と制御ユニット１２が備えられ、また、該遠隔制御機構１は、イヤホンやリモコン、キーボード或いは操作パネル等である。
【０００８】
該スプリットバックス２は、導線を介して、有線ネットワークや無線ネットワーク、赤外線伝送或いはブルートゥース通信協定により、上記の遠隔制御機構１に接続される。
【０００９】
該通信インタフェース３は、上記のスプリットバックス２に接続される。
【００１０】
該制御機構４は、上記の通信インタフェース３に接続される。
【００１１】
該ビデオ−オーディオ提供機構５は、上記の制御機構４に接続され、また、該ビデオ−オーディオ提供機構５は、少なくとも、ビデオ−オーディオデータベース５１が接続される。
【００１２】
該歌詞暗／復号化機構６は、上記の制御機構４に接続され、また、該歌詞暗／復号化機構６は、少なくとも、演算ユニット６１と、演算ユニット６１に接続される権限ユニット６２と、演算ユニット６１に接続される歌詞データベース６３が備えられる。上記の構造により、新規の歌詞暗／復号化装置が構成される。
【００１３】
本考案によれば、該遠隔制御機構１は、イヤホン制御器１０を例とし、また、該スプリットバックス２と通信インタフェース３、制御機構４、ビデオ−オーディオ提供機構５及び歌詞暗／復号化機構６は、ＭＰ３や光▲せつ▼機、焼きつけ機及びコンピュータ等の再生装置に設置され、ここでは、該再生装置について、ＭＰ３再生器７を例とし、該ＭＰ３再生器７は、少なくとも、表示ユニット７１と制御ユニット７２が備えられる。
【００１４】
使用するとき、ユーザーが、該イヤホン制御器１０の制御ユニット１２を利用して、通信インタフェース３と制御機構４を介して、ビデオ−オーディオ提供機構５のビデオ−オーディオデータベース５１から、必要とする歌曲を捕獲した後、制御ユニット１２を利用して、通信インタフェース３と制御機構４を介して、歌詞暗／復号化機構６にアクセスし、ユーザーが、権限ユニット６２に対して、関連する識別データ６２１（例えば、ユーザー名やユーザーパスワード、ユーザーアカウント番号及びユーザー種類等の関連する識別データ）を入力し、演算ユニット６１により演算されて復号化され、ユーザーの身分と権限を確認してから、制御ユニット１２を介して、歌詞データベース６３から、ユーザーに必要とする歌詞データを捕獲し、また、表示ユニット１１に表示され（或いは、制御ユニット７２で制御して、該ＭＰ３再生器７の表示ユニット７１に表示させる）、これにより、ユーザーが、ニーズに応じて、その後、利用できる。
【００１５】
実用上、該歌詞暗／復号化機構６は、定期的に必要とするパースワードを更新でき、これにより、各ビデオ−オーディオデータの歌詞は、パースワードが異なるため、関連する歌詞データのフォーマットが変化し、そのため、他のユーザーにより、該関連する歌詞データが盗まれることを防止でき、また、該歌詞暗／復号化機構６により暗号かした時、少なくとも、変位演算やＸＯＲ演算、交換演算、或いはＸＯＲ変位演算により、必要とする暗号化演算を行い、また、復号化する時、逆変位演算や逆ＸＯＲ演算、逆交換演算、或いは逆ＸＯＲ変位演算により、必要とする復号化演算を行い、そのため、有効に、不審者により、関連する歌詞データを盗むことを防止でき、暗号化の効果が得られて、系統の安全性が向上される。
【００１６】
以上のように、本考案に係る歌詞暗／復号化装置は、有効に、従来の諸欠点を解消でき、ビデオ−オーディオ提供機構と歌詞暗／復号化機構を利用して、歌曲に関連する歌詞に対して、復号化し、遠隔制御機構が、必要とする歌詞を取得して、その後、利用でき、そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の基本構造概念図
【図２】本考案のブロック概念図
【図３】本考案の使用流れ概念図。
【符号の説明】
【００１９】
１    遠隔制御機構
１０  イヤホン制御器
１１  表示ユニット
１２  制御ユニット
２    スプリットバックス
３    通信インタフェース
４    制御機構
５    ビデオ−オーディオ提供機構
５１  ビデオ−オーディオデータベース
６    歌詞暗／復号化機構
６１  演算ユニット
６２  権限ユニット
６２１  識別データ
６３  歌詞データベース
７    ＭＰ３再生器
７１  表示ユニット
７２  制御ユニット
【図１】
0003145709.tif 000003
【図２】
0003145709.tif 000004
【図３】
0003145709.tif 000005